(57)【要約】      （修正有）【課題】携帯型イオン発生器のイオンを顔面周辺に集めて濃度を高め有害分子との化学結合の頻度をあげ、イオンの有効活用をする電磁気的手段を提供する。【解決手段】携帯イオン発生器Ａを繋ぐストラップＳＴに永久磁石ＭＧを取り付ける。ストラップが首に取り付けられ、携帯イオン発生器より発生したイオンが永久磁石の磁束ＪＴにより拘束され円運動Ｗをする。この円運動Ｗが鼻周辺にあるように永久磁石あるいは携帯イオン発生器の位置を調整すればよい。【選択図】図６
2007307318.tif 000002
【特許請求の範囲】
【請求項１】
イオン発生器のイオン拡散における、顔面周辺のイオン収集のための電磁気的手段。
【請求項２】
携帯型イオン発生器のイオン拡散における、顔面周辺のイオン収集のためのストラップ使用の電磁気的手段。
【請求項３】
携帯型イオン発生器のイオン拡散における、顔面周辺のイオン収集のためのストラップ使用の磁気的手段。
【請求項４】
携帯型イオン発生器のイオン拡散における、顔面周辺のイオン収集のためのストラップ使用の電気的手段。
【発明の詳細な説明】
【技術分野】本発明はイオンの収集手段に関する。
【背景技術】最近、携帯型のイオン発生器でイオンを大気中に発生させて大気中の各種有害分子と化学結合させて分子構造を変え無害化する製品が出現している。これら製品のイオン発生は放電手段を用いて放電手段周辺の大気中の分子をイオン化するもので、発生から大気中への拡散は、例えば図１に示すような形である。図１は携帯型イオン発生器Ａを模式的に表わしたもので、イオン発生口Ｂから発生した＋イオンＰＩ或いは−イオンＭＩが拡散して行く様子を示したものである。通常はネックストラップで首からぶら下げて使用する。この状態で使用者は、無害化された分子と空気を呼吸する。この場合、イオンは拡散されており十分な有効活用がされているとは言えない。
【発明が解決しようとする課題】
本発明は以上の点を考慮して、イオンを顔面周辺に集めて濃度を高め有害分子との化学結合の頻度をあげる、イオンの有効活用をする。
【課題を解決するための手段】
イオンは電気的に＋或いは−に帯電しており、この性質を用いて磁気或いは電気的にイオン濃度を高める。まず磁気についての手段をしめす。図２は磁力線が一本Ｎ極ＮからＳ極Ｓへ通っている様子を模式的に示しており、ここに＋イオンＰＩ或いは−イオンＭＩが飛来してきて磁力線に拘束されている様子を示している。拘束状態は、磁力が十分強いとすると＋イオンＰＩは右周りの、−イオンＭＩは左周りの円運動となる。この円運動の動きは、荷電量、磁気線にたいする粒子速度、磁気の強さ等できまる。重要なことは、磁力線でイオンが拘束されるということである。一本の磁力線で説明したが、磁力線の密度に粗密分布があって密が束になっていればその周りにイオンが拘束される。これを利用して、顔面周辺でイオンが拘束されるような手段を用いれば、顔周辺の有害分子とイオンとの結合頻度が増え、イオンの有効活用ができる。
次に電気的な方法について説明する。図３はＣ絶縁材料例えばプラスチック棒が＋の電荷ＰＤを持っているとすると、−イオンＭＩが＋電荷ＰＤに引かれてこの棒に集まってくる。即ちこの棒の周辺には−イオンの濃度が高い状態ができる。この電気的イオンの高濃度を顔面周辺に作るという手段で、周辺の有害分子とイオンとの結合頻度が増え、イオンの有効活用ができる
【発明を実施するための最良の形態】  図４は永久磁石ＭＧの磁力線ＪＳの様子とその磁力線の束、磁束ＪＴに＋イオンＰＩあるいは−イオンＭＩが拘束されている様子を示したものである。永久磁石ＭＧの両極ＮＳ付近は磁束の密度即ち磁力線の密度が高く、密度の低いところからみると図２のように一本の磁力線があるように見なされ＋イオンＰＩあるいは−イオンＭＩが拘束される。この永久磁石ＭＧを、図５に示すように携帯イオン発生器Ａを繋ぐストラップＳＴにとりつける。取り付ける個数は何個でもよい。あるいはＭＧはＳＴから切り離してたとえば襟にとりつけてもよい。またＳＴはイオンの発生口Ｂ付近に取り付けているが任意部位に取り付けてもよい。
図６は、図５のストラップＳＴが首に取り付けられ磁束ＪＴにイオンが拘束されている様子を模式的に示したものである。Ａより発生したイオンがＭＧの磁束ＪＴにより拘束されて円運動Ｗをしているところである。イオンの種類は＋でも−でもよい。このＷが呼吸する鼻周辺部にあるようにＭＧ、あるいはＡを調整すればよい。ＭＧは顎の近くがよいけれども、複数個使用すれば調整の手間が省ける。またＡの位置はイオンの発生能力に応じて強ければ顎付近に弱ければ腹部付近の正面部に置けばよい。
磁力線の発生として永久磁石を利用したが、別に例えば電池駆動の磁石を応用しても問題ない。
図７は静電気を発生さす手段の一つを示したものである。布地ＮＮでプラスチックＰを擦ると、例えばＰに＋電荷が蓄積され、ＮＮには−電荷が蓄積される。＋になるか−になるかは、Ｐ  ＮＮの材質による。ＰがアクリルでＮＮが毛織ものの場合はＰは＋にＮＮは−になる。本説明はＰは＋でＮＮは−で説明する。
図８は本発明の一説明図で、ストラップＳＴのある部位がＮＮで構成されＮＮとＰはバネＢＳで結合されており、ストラップＳＴを例えば首にかけておればＰとＮＮの間で首の自然運動による摩擦によりＰにはマイナス電荷ＭＤがＮＮには＋電荷ＰＤが蓄積される。これらの静電気により、イオンの収集が可能となる。
図９は図８をやや複雑化したもので、Ｐのある部分に切りかけをいれてＮＮの＋荷電の効果を高めようとしたものである。
図１０は図９より更に複雑化したものである。ＮＮの芯がＰを貫通し、ＮＮの外側がＰの両端のある部分を覆った形になっている。ＢＳはＮＮの芯とＰを結合させている。イオンの収集効率をさらに向上させたものである。
これら静電気を発生さす手段として、人の自然動体を用いた例を示したが、別に例えば電池駆動式の摩擦を用いても問題ない。
図１１はこれら静電気イオン収集器ＳＰを複数個ストラップＳＴにつけ、イオン発生器ＡにＳＴをつけた状態を示したものである。ＳＴに複数個ＳＰをとりつけているが単数でも問題ない。あるいはＳＰはＳＴから切り離して例えば襟につけても良い。またＳＴはイオンの発生口Ｂ付近に取り付けているが任意部位に取り付けてもよい。
さらに、マグネットを用いたイオン集積の永久磁石ＭＧと併用しても問題ない。
【発明の効果】
本発明によれば、イオン発生器から拡散するプラスイオン或いはマイナスイオンを磁気的に或いは静電気的に顔面周辺に収集して高濃度を作るという手段で、周辺の有害分子とイオンとの結合頻度を増やし、イオンの有効活用を促進さす。
【図面の簡単な説明】
【図１】本発明にかかる説明図
【図２】本発明にかかる説明図
【図３】本発明にかかる説明図
【図４】本発明にかかる説明図
【図５】本発明にかかる説明図
【図６】本発明にかかる説明図
【図７】本発明にかかる説明図
【図８】本発明にかかる説明図
【図９】本発明にかかる説明図
【図１０】本発明にかかる説明図
【図１１】本発明にかかる説明図
【符号の説明】
Ａ              携帯型イオン発生器
Ｂ              イオン発生口
ＭＩ            −イオン
ＰＩ            ＋イオン
Ｎ              Ｎ極
Ｓ              Ｓ極
Ｃ              絶縁材料
ＳＴ            ストラップ
ＰＤ            ＋電荷
ＭＤ            −電荷
ＭＧ            永久磁石
ＪＳ            磁力線
ＪＴ            磁束
Ｗ              円運動
ＮＮ            布地
Ｐ              プラスチック
ＢＳ            バネ
ＳＰ            静電気イオン収集器
【図１】
2007307318.tif 000003
【図２】
2007307318.tif 000004
【図３】
2007307318.tif 000005
【図４】
2007307318.tif 000006
【図５】
2007307318.tif 000007
【図６】
2007307318.tif 000008
【図７】
2007307318.tif 000009
【図８】
2007307318.tif 000010
【図９】
2007307318.tif 000011
【図１０】
2007307318.tif 000012
【図１１】
2007307318.tif 000013